(57)【要約】【課題】  ＰＴＴ（Push-to-Talk）方式の通話を提供する際、移動通信端末装置の電力消費量の削減と、短い待ち時間でのＰＴＴ方式の通話の開始ができる移動通信端末装置の間欠受信方法及び移動通信端末装置を提供する。【解決手段】  移動通信端末装置は、ＰＴＴセッションのメンバーでない場合の待ち受け状態では長い間欠受信周期で間欠受信し（ステップＳ１４）、ＰＴＴセッションのメンバーであって、ＰＴＴ通話が休止状態にある待ち受け状態では短い間欠受信周期で間欠受信する（ステップＳ２３）。【選択図】  図５
2006094341.tif 000002
【特許請求の範囲】
【請求項１】
プッシュ・トゥ・トーク方式の通話機能を有する移動通信端末装置の待ち受け時の間欠受信方法であって、
プッシュ・トゥ・トークセッションのメンバーとなっていない場合、第１の間欠受信周期で間欠起床し、
前記プッシュ・トゥ・トークセッションのメンバーとなっている場合、前記第１の間欠受信周期より短い第２の間欠受信周期で間欠起床する
ことを特徴とする移動通信端末装置の間欠受信方法。
【請求項２】
前記プッシュ・トゥ・トークセッションのメンバーとなることが不可とされている場合、前記第１の間欠受信周期で間欠起床する
ことを特徴とする請求項１に記載の移動通信端末装置の間欠受信方法。
【請求項３】
前記プッシュ・トゥ・トークセッションの開設の要求に続いて発話権を得て音声信号を発信し、
前記発話権が解放されると前記第２の間欠受信周期で間欠起床する
ことを特徴とする請求項１に記載の移動通信端末装置の間欠受信方法。
【請求項４】
前記開設されたプッシュ・トゥ・トークセッションのメンバーとなって前記音声信号を受信し、
前記発話権が解放されると前記第２の間欠受信周期で間欠起床する
ことを特徴とする請求項３に記載の移動通信端末装置の間欠受信方法。
【請求項５】
プッシュ・トゥ・トーク方式の通話機能を有する移動通信端末装置であって、
プッシュ・トゥ・トークセッションのメンバーとなる手段と、
前記プッシュ・トゥ・トークセッションのメンバーから離脱する手段と、
前記プッシュ・トゥ・トークセッションのメンバーから離脱している場合、第１の間欠受信周期で間欠起床し、前記プッシュ・トゥ・トークセッションのメンバーとなっている場合、前記第１の間欠受信周期より短い第２の間欠受信周期で間欠起床する間欠受信制御手段と
を有することを特徴とする移動通信端末装置。
【発明の詳細な説明】
【技術分野】
【０００１】
本発明は、移動通信端末装置の間欠受信方法及び移動通信端末装置に係り、特に間欠受信周期の選択処理に関する。
【背景技術】
【０００２】
ＣＤＭＡ（Code Division Multiple Access、符号分割多元接続）方式などのセルラ方式の移動通信システムでは、移動通信サービスエリアをセルと呼ばれる小規模な領域に分割し、各セルに１つ又は複数の基地局を設置する。そして、移動局（移動通信端末装置）は、あるセル内に位置して待ち受け中（Idle Mode）には、そのセルに設置された基地局を選択して待ち受け基地局（Serving Cell）とし、その待ち受け基地局との間の無線通信リンクを確立する。
【０００３】
そして、移動局は、間欠受信周期（Discontinuous Reception Cycle）毎に間欠起床して間欠受信を行ない、待ち受け基地局から送られる着信に関する情報を受信して、自局宛の着信の有無を検出する。そして、自局宛の着信がある場合、待ち受け基地局との間に必要なチャネルを確立し、確立されたチャネルを経由して通信を行う。ここで、間欠受信周期は、移動局の電力消費量の削減と、着信時のチャネル確立完了までの所要時間の短縮との相反する目的を満足させるように設定されている（例えば、非特許文献１参照。）。
【０００４】
一方、利用者は発話のために発話権（Floor）を要求する所定の操作を行い、発話権を得た１台の移動局のみが音声信号を送信し、その他の１台または複数台の移動局は発話権を得た移動局から送信された音声信号を受信するプッシュ・トゥ・トーク（Push-to-Talk。以後、ＰＴＴと称する。）方式の通話が知られている。ＰＴＴ方式の通話においては、ある移動局がＰＴＴセッションの開設を要求した際と、ある移動局が発話権を要求した際との２つの場合に、その他の移動局に着信に関する情報が送信される。
【０００５】
即ち、ある移動局がＰＴＴセッションの開設を要求した場合、その移動局によってそのセッションに参加を求められた移動局に着信に関する情報が送信され、また、あるＰＴＴセッションのメンバーである移動局が発話権を要求した場合、その移動局を除く、そのＰＴＴセッションのメンバーである移動局に着信に関する情報が送信される。
【非特許文献１】立川敬二監修、「Ｗ−ＣＤＭＡ移動通信方式」、丸善株式会社、２００１年６月２５日、ｐ．２２２−２２３
【発明の開示】
【発明が解決しようとする課題】
【０００６】
ＰＴＴセッションの開設には、そのセッションに参加する移動局の登録などの処理に時間を要するため、チャネル確立の完了までに要する時間を重視する必要はない。そこで、移動局がＰＴＴセッションのメンバーでない場合の間欠受信周期は、その移動局の電力消費量の削減を重視して比較的長く設定することが適切である。
【０００７】
一方、ある移動局が発話権を要求した際には、直ちにその移動局が発話権を得て音声信号を送信することが短い待ち時間での通話の開始には必要であり、移動局がＰＴＴセッションのメンバーである場合の間欠受信周期は、チャネル確立の完了までの所要時間の短縮を重視して比較的短く設定することが適切である。
【０００８】
しかしながら、上述した非特許文献１に開示されている方法では、間欠受信周期を変化させることができない問題点があった。
【０００９】
本発明は、上記問題点を解決するためになされたもので、ＰＴＴセッションのメンバーであるか否かによって間欠受信周期を変化させることができる移動通信端末装置の間欠受信方法及び移動通信端末装置を提供することを目的とする。
【課題を解決するための手段】
【００１０】
上記目的を達成するために、本発明の移動通信端末装置の間欠受信方法は、プッシュ・トゥ・トーク方式の通話機能を有する移動通信端末装置の待ち受け時の間欠受信方法であって、プッシュ・トゥ・トークセッションのメンバーとなっていない場合、第１の間欠受信周期で間欠起床し、前記プッシュ・トゥ・トークセッションのメンバーとなっている場合、前記第１の間欠受信周期より短い第２の間欠受信周期で間欠起床することを特徴とする。
【発明の効果】
【００１１】
本発明によれば、ＰＴＴセッションのメンバーである場合の間欠受信周期がＰＴＴセッションのメンバーでない場合の間欠受信周期より短い移動通信端末装置の間欠受信方法及び移動通信端末装置を提供することができる。これにより、移動通信端末装置の電力消費量の削減と、短い待ち時間でのＰＴＴ方式の通話の開始を提供することができる。
【発明を実施するための最良の形態】
【００１２】
以下に、本発明による移動通信端末装置の間欠受信方法及び移動通信端末装置の実施の形態を、図面を参照して説明する。図１は、本発明の実施形態に係る移動通信端末装置の間欠受信方法が適用され、本発明の実施形態に係る移動通信端末装置を含むＰＴＴ方式の通話システムの構成を示すブロック図である。
【００１３】
このＰＴＴ方式の通話システムは、複数の移動通信端末装置１と、複数の移動通信端末装置１が参加するＰＴＴセッションを管理するＰＴＴサーバ装置２と、移動通信端末装置１とＰＴＴサーバ装置２とを基地局（図示せず）を経由して接続する無線通信網３とからなる。
【００１４】
図２は、移動通信端末装置１の構成を示すブロック図である。移動通信端末装置１は、装置全体の制御を行う制御部１１と、基地局との間で電波の送受信を行うアンテナ１２ａと、通信部１２ｂと、送受信部１３と、スピーカ１４ａと、マイクロフォン１４ｂと、通話部１４ｃと、表示部１５と、入力部１６とからなる。
【００１５】
図３は、ＰＴＴサーバ装置２の構成を示すブロック図である。ＰＴＴサーバ装置２は、装置全体の制御を行う制御部２１と、基地局との間で送受信を行う通信部２２と、ＰＴＴセッションデータ記憶部２３と、ＰＴＴセッション管理部２４とからなる。
【００１６】
ＰＴＴセッションデータ記憶部２３には、ＰＴＴセッションデータ２３ａが記憶される。図４は、ＰＴＴセッションデータ２３ａの形式の一例を示す。ＰＴＴセッションデータ２３ａは、ＰＴＴセッション識別子２３ｂと、主端末装置識別子２３ｃと、副端末装置識別子２３ｄと、発話権割り当て端末装置識別子２３ｅとの情報の組からなり、１組の情報で１つの開設されたＰＴＴセッションの属性を表す。なお、ＰＴＴセッションデータ２３ａは、上記情報の組に限るものではなく、その他の情報を含んでいても良い。
【００１７】
ＰＴＴセッション識別子２３ｂは、開設されたＰＴＴセッションを識別する情報である。主端末装置識別子２３ｃは、ＰＴＴセッション識別子２３ｂによって識別されるＰＴＴセッションの開設を要求した移動通信端末装置１を識別する情報である。副端末装置識別子２３ｄは、ＰＴＴセッション識別子２３ｂによって識別されるＰＴＴセッションへ、主端末装置識別子２３ｃによって参加を求められ、そして、そのセッションに参加した１台または複数台の移動通信端末装置１を識別する情報である。
【００１８】
ここで、主端末装置識別子２３ｃによって識別される移動通信端末装置１と、副端末装置識別子２３ｄによって識別される移動通信端末装置１とをＰＴＴセッション識別子２３ｂによって識別されるＰＴＴセッションのメンバーと称する。
【００１９】
また、発話権割り当て端末装置識別子２３ｅは、ＰＴＴセッション識別子２３ｂによって識別されるＰＴＴセッションのメンバーであり、かつ、発話権が割り当てられた１台の移動通信端末装置１を識別する情報である。発話権が割り当てられた移動通信端末装置１が存在しない場合には、発話権割り当て端末装置識別子２３ｅには未割り当てである旨が記憶される。
【００２０】
図４は、ＰＴＴセッション識別子２３ｂが「Ａ」で識別されるＰＴＴセッションと、ＰＴＴセッション識別子２３ｂが「Ｂ」で識別されるＰＴＴセッションとが開設されている例を示す。
【００２１】
ＰＴＴセッション識別子２３ｂが「Ａ」で識別されるＰＴＴセッションの主端末装置識別子２３ｃは「Ｐ」であり、そのセッションの副端末装置識別子２３ｄは、「Ｑ」である。そして、そのセッションの発話権割り当て端末装置識別子２３ｅは、「Ｐ」である。即ち、そのセッションは、識別子「Ｐ」で識別される移動通信端末装置１の要求によって開設され、識別子「Ｑ」で識別される移動通信端末装置１がそのセッションに参加し、識別子「Ｐ」で識別される移動通信端末装置１にそのセッションの発話権が割り当てられていることを示す。
【００２２】
一方、ＰＴＴセッション識別子２３ｂが「Ｂ」で識別されるＰＴＴセッションの主端末装置識別子２３ｃは「Ｘ」であり、そのセッションの副端末装置識別子２３ｄは、「Ｙ、Ｚ」である。そして、そのセッションの発話権割り当て端末装置識別子２３ｅは、「（未割り当て）」である。即ち、そのセッションは、識別子「Ｘ」で識別される移動通信端末装置１の要求によって開設され、識別子「Ｙ」で識別される移動通信端末装置１と、識別子「Ｚ」で識別される移動通信端末装置１とがそのセッションに参加し、そのセッションの発話権はそのセッションのいずれのメンバーにも割り当てられていないことを示す。
【００２３】
上記のように構成された、本発明の実施形態に係る移動通信端末装置１の各部の動作を、図２を参照して説明する。
【００２４】
まず、通信部１２ｂは、アンテナ１２ａが受信した高周波信号を送受信部１３へ出力し、また、送受信部１３から出力される高周波信号をアンテナ１２ａより送信する。
【００２５】
送受信部１３は、通信部１２ｂからの高周波信号を増幅、周波数変換及び復調し、それによって得られたデジタル音声信号を通話部１４ｃへ、また、通信部１２ｂからの着信信号を含む制御信号を制御部１１に送る。更には、通話部１４ｃから出力されるデジタル音声信号、及び制御部１１から出力される着呼信号を含む制御信号を変調、周波数変換及び増幅し、高周波信号を得て、それを通信部１２ｂに送る。
【００２６】
次に、通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。通話部１４ｃは、更に、スピーカ１４ａから発生した音声がマイクロフォン１４ｂから入力されることによって発生するハウリングを防止するためのエコーキャンセルを行う。
【００２７】
表示部１５は、例えばＬＣＤの表示装置であり、制御部１１に制御されることで、文字・数字や画像データの表示動作を行い、表示されているデータは、入力部１６からの入力操作や着信信号に応答し、制御部１１からの指示を受けることで切換わる。
【００２８】
入力部１６は、通話相手の電話番号を指定するための数字キーを含む複数のキーからなり、入力部１６のキーが操作されると、このキーに対応した識別子が制御部１１に通知され、表示部１５に文字や数字として表示される。
【００２９】
次に、制御部１１のＰＴＴ方式の通話の制御の動作を、まず、ＰＴＴセッションの開設の要求と、その要求に続く発話権の要求及び音声信号の送信の動作から説明する。図５は、制御部１１のＰＴＴセッションの開設の要求と、その要求に続く発話権の要求及び音声信号の送信の動作のフローチャートを示す。
【００３０】
制御部１１のＰＴＴセッションの開設の要求と、その要求に続く発話権の要求及び音声信号の送信の動作は、移動通信端末装置１の電源の投入により動作を開始し（ステップＳ１１）、ＰＴＴ方式の通話が可能なモードに設定されているか否かを調べる（ステップＳ１２）。上記モードは、入力部１６の所定のキー操作により設定され、設定されたモードは制御部１１内の所定の記憶部に記憶される。ＰＴＴ方式の通話が不可なモードに設定されている場合、ＳＣＩ（Slotted Cycle Index）を２に設定して間欠受信を行う（ステップＳ１３）。
【００３１】
ここで、ＳＣＩは、間欠受信周期を表す指数であり、間欠受信周期（Ｔ）は、ＳＣＩ（ｉ）によって、以下の式で計算される。
【数１】
2006094341.tif 000003
【００３２】
ＳＣＩを２に設定することにより、ＰＴＴ方式の通話が不可なモードに設定されている場合、間欠受信周期を比較的長く設定して、電力消費量の削減を重視して間欠受信を行わせることができる。
【００３３】
一方、ステップＳ１２で、ＰＴＴ方式の通話が可能なモードに設定されている場合、制御部１１は、ＳＣＩを２に設定して間欠受信を行いつつ（ステップＳ１４）、ＰＴＴ方式の通話に参加を求める１台または複数台の移動通信端末装置１の識別子、例えば、その装置の電話番号を入力し、所定のＰＴＴ方式通話キーの継続押下の開始を入力する（ステップＳ１５）。ここで、移動通信端末装置１の識別子の入力は、アドレス帳記憶部（図示せず）の所定の氏名またはグループ名などを選択することによって行われても良い。
【００３４】
続いて、制御部１１は、ステップＳ１５で入力されたＰＴＴ方式の通話に参加を求める１台または複数台の移動通信端末装置１の識別子を引数に、第１種の発呼、即ち、ＰＴＴセッションの開設要求をＰＴＴサーバ装置２に送信する（ステップＳ１６）。ＰＴＴセッションの開設が行われた旨の信号をＰＴＴサーバ装置２から受信した後、続いて、第２種の発呼、即ち、発話権の割り当て要求をＰＴＴサーバ装置２に送信する（ステップＳ１７）。
【００３５】
発話権の割り当てが認められた旨の信号をＰＴＴサーバ装置２から受信した後、制御部１１は、自装置と待ち受け基地局との間にパケット通信用個別チャネルが確立されていなければ、そのチャネルを確立する。また、発話権の割り当てがＰＴＴサーバ装置２に認められたことを、表示部１５の所定の位置に所定の表示を行うことによって示す（ステップＳ１８）。
【００３６】
そして、制御部１１は、送受信部１３を制御して、ステップＳ１７で確立されたパケット通信用個別チャネルを経由して、マイクロフォン１４ｂから入力されたアナログ音声信号がデジタル音声信号に変換された信号をＰＴＴサーバ装置２に送信させる（ステップＳ１９）。
【００３７】
ステップＳ１５で継続押下が開始された所定のＰＴＴ方式通話キーの押下が解放されると（ステップＳ２０）、制御部１１は、ステップＳ１８で行った発話権の割り当てがＰＴＴサーバ装置２に認められたことの表示を終了し、続いて、所定のＰＴＴ方式通話終了キーが押下されたか否かを調べる（ステップＳ２１）。その通話終了キーの押下がなかった場合、制御部１１は、ＰＴＴ方式通話が休止状態（Dormant）になったこと、即ち、自装置からの音声信号の送信が終了したことをＰＴＴサーバ装置２に通知する（ステップＳ２２）。
【００３８】
なお、ステップＳ２１のＰＴＴ方式通話終了キーが押下されたか否かを調べる動作は、後述するステップＳ２２の動作の後にも行って良い。更に、後述するステップＳ２３の動作中にも行って良い。
【００３９】
続いて、制御部１１は、ＳＣＩを０に設定して間欠受信を行う（ステップＳ２３）。ここで、ＳＣＩを０に設定することにより、後述するように、ステップＳ１５でＰＴＴ方式の通話に参加を求めた移動通信端末装置１から送信された音声信号を短い待ち時間で受信することができる。そして、ＰＴＴ方式通話キーの継続押下が開始されると（ステップＳ２４）、ステップＳ１７の第２種の発呼、即ち、発話権の要求をＰＴＴサーバ装置２に送信する動作以降の動作に戻る。
【００４０】
一方、ステップＳ２１で、通話終了キーの押下があった場合、制御部１１は、ステップＳ１６で開設されたＰＴＴセッションの終了をＰＴＴサーバ装置２に通知し（ステップＳ２５）、ステップＳ１４に戻って、ＳＣＩを２に設定した間欠受信動作を行う。
【００４１】
次に、制御部１１の第１種の発呼に対して着呼する動作、即ち、ＰＴＴ方式の通話に参加を求められ、その通話のＰＴＴセッションに参加する動作を説明する。図６は、制御部１１の第１種の発呼に対して着呼する動作のフローチャートを示す。制御部１１の第１種の発呼に対して着呼する動作は、第１種の着信信号、即ち、第１種の発呼に対応してＰＴＴサーバ装置２から送信された着信信号を受信することによって動作を開始する（ステップＳ３１）。そして、ＰＴＴ方式の通話が可能なモードに設定されているか否かを調べる（ステップＳ３２）。ＰＴＴ方式の通話が不可なモードに設定されている場合、ＳＣＩを２に設定して間欠受信を行い（ステップＳ３３）、受信された第１種の着信信号に対する動作を行わない。
【００４２】
一方、ステップＳ３２で、ＰＴＴ方式の通話が可能なモードに設定されている場合、制御部１１は、受信された第１種の着信信号に対して着呼し（ステップＳ３４）、ＳＣＩを０に設定して、間欠受信を行う（ステップＳ３５）。
【００４３】
次に、制御部１１の他装置による第１種の発呼に基づいて開設され、自装置が参加したＰＴＴセッションの発話権の要求及び音声信号の送信の動作を説明する。図７は、制御部１１の他装置による第１種の発呼に基づいて開設され、自装置が参加したＰＴＴセッションの発話権の要求及び音声信号の送信の動作のフローチャートを示す。なお、この動作は、図５にフローチャートを示した制御部１１のＰＴＴセッションの開設の要求と、その要求に続く発話権の要求及び音声信号の送信の動作と同じ動作を含むので、同じ動作には同じ符号を付して、説明を省略する。
【００４４】
制御部１１の他装置による第１種の発呼に基づいて開設され、自装置が参加したＰＴＴセッションの発話権の要求及び音声信号の送信の動作は、図６にフローチャートを示した、第１種の発呼に対する着呼動作によって動作を開始し（ステップＳ４１）、所定のＰＴＴ方式通話キーの継続押下の開始を入力して（ステップＳ４２）、ステップＳ１７の第２種の発呼の動作以降の動作を行う。そして、ステップＳ２１で所定のＰＴＴ方式通話終了キーが押下された場合、自装置は参加したＰＴＴセッションから離脱することをＰＴＴサーバ装置２に通知して（ステップＳ４３）、ＳＣＩを２に設定して間欠受信を行う（ステップＳ４４）。
【００４５】
次に、制御部１１の第２種の着信信号、即ち、第２種の発呼に対応してＰＴＴサーバ装置２から送信された着信信号への着呼と、その着呼に続く音声信号の受信の動作を説明する。図８は、制御部１１の第２種の着信信号への着呼とその着呼に続く音声信号の受信の動作のフローチャートを示す。
【００４６】
制御部１１の第２種の着信信号への着呼とその着呼に続く音声信号の受信の動作は、第２種の着信信号の受信によって動作を開始し（ステップＳ５１）、その着信信号に対する着呼動作を行う（ステップＳ５２）。この着呼動作により、自装置と待ち受け基地局との間にパケット通信用個別チャネルが確立されていない場合、そのチャネルを確立する。
【００４７】
ここで、第２種の着信信号の受信の前に、自装置は、図５のステップＳ２３または図６のステップＳ３５に示した動作によってＳＣＩを０に設定した間欠受信を行っているので、着信信号の受信からパケット通信用個別チャネルの確立までの所要時間を短縮することができ、短い待ち時間で通話を開始することができる。
【００４８】
そして、制御部１１は、送受信部１３を制御して、ステップＳ５２で確立されたパケット通信用個別チャネルを経由してＰＴＴサーバ装置２から送信されたデジタル音声信号を受信させて、その音声信号がアナログ音声信号に変換された信号をスピーカ１４ａから出力する動作を続ける（ステップＳ５３）。そして、休止状態になった旨をＰＴＴサーバ装置２から受信して（ステップＳ５４）、ＳＣＩを０に設定して間欠受信を行う（ステップＳ５５）。
【００４９】
次に、ＰＴＴサーバ装置２の動作を、図３を参照して説明する。まず、通信部２２は、無線通信網３からの信号を制御部２１に送信し、また、制御部２１からの信号を無線通信網３に送信する。
【００５０】
次に、ＰＴＴセッション管理部２４の動作を、まず、第１種の発呼の処理動作、即ち、ＰＴＴセッションの開設の動作から説明する。ＰＴＴセッション管理部２４の第１種の発呼の処理動作は、移動通信端末装置１からＰＴＴ方式の通話に参加を求める１台または複数台の移動通信端末装置１の識別子を引数に、第１種の発呼を受信することにより動作を開始する。
【００５１】
そして、ＰＴＴセッション管理部２４は、発呼した移動通信端末装置１の識別子を主端末装置識別子２３ｃに、上記参加を求める１台または複数台の移動通信端末装置１の識別子を副端末装置識別子２３ｄに、開設されるＰＴＴセッションを一意に識別する情報をＰＴＴセッション識別子２３ｂに、そして、「（未割り当て）」を発話権割り当て端末装置識別子２３ｅに設定した情報の組をＰＴＴセッションデータ２３ａに追加格納する。
【００５２】
更に、ＰＴＴセッション管理部２４は、上記参加を求める１台または複数台の移動通信端末装置１に第１種の着信信号を送信する。そして、それらの移動通信端末装置１から上記第１種の着信信号に対して送信された着呼信号を受信した際に、ＰＴＴセッションの開設が行われた旨の信号を上記発呼した移動通信端末装置１に送信する。
【００５３】
次に、ＰＴＴセッション管理部２４の第２種の発呼の処理動作、即ち、発話権の割り当ての動作を説明する。ＰＴＴセッション管理部２４の第２種の発呼の処理動作は、移動通信端末装置１から第２種の発呼を受信することにより動作を開始する。そして、その発呼を送信した移動通信端末装置１がメンバーであるＰＴＴセッションの属性情報をＰＴＴセッションデータ２３ａから検索する。
【００５４】
そして、ＰＴＴセッション管理部２４は、検索された発話権割り当て端末装置識別子２３ｅに「（未割り当て）」が記憶されている場合、発話権割り当て端末装置識別子２３ｅに上記発呼を送信した移動通信端末装置１の識別子を更新格納する。そして、上記ＰＴＴセッションのメンバーであり、かつ、上記発呼を送信した移動通信端末装置１以外の移動通信端末装置１に第２種の着信信号を送信する。そして、それらの移動通信端末装置１から上記第２種の着信信号に対して送信された着呼信号を受信した際に、発話権の割り当てが認められた旨の信号を上記発呼した移動通信端末装置１に送信する。
【００５５】
続いて、ＰＴＴセッション管理部２４は、上記発呼を送信した移動通信端末装置１から送信された音声信号を、上記ＰＴＴセッションのメンバーであり、かつ、上記発呼を送信した移動通信端末装置１以外の移動通信端末装置１に送信する。
【００５６】
次に、ＰＴＴセッション管理部２４の休止状態の通知を受信した際の動作を説明する。ＰＴＴセッション管理部２４は、移動通信端末装置１から送信された休止状態の通知を受信すると、その通知を送信した移動通信端末装置１がメンバーであるＰＴＴセッションの属性情報をＰＴＴセッションデータ２３ａから検索する。そして、検索された発話権割り当て端末装置識別子２３ｅに「（未割り当て）」を更新格納する。
【００５７】
更に、ＰＴＴセッション管理部２４は、上記ＰＴＴセッションのメンバーであり、かつ、上記通知を送信した移動通信端末装置１以外の移動通信端末装置１に休止状態である旨を送信する。そして、所定時間経過後、上記ＰＴＴセッションのメンバーである移動通信端末装置１とそれぞれの装置が通信している基地局との間で確立されたパケット通信用個別チャネルを解放する。
【００５８】
次に、ＰＴＴセッション管理部２４のＰＴＴセッション終了の通知を受信した際の動作を説明する。ＰＴＴセッション管理部２４は、移動通信端末装置１から送信されたＰＴＴセッション終了の通知を受信すると、その通知を送信した移動通信端末装置１の識別子が主端末装置識別子２３ｃに記憶されたＰＴＴセッションの属性情報をＰＴＴセッションデータ２３ａから検索する。
【００５９】
そして、そのＰＴＴセッションの属性情報をＰＴＴセッションデータ２３ａから削除する。そのため、そのＰＴＴセッションのメンバーである全ての移動通信端末装置１は、そのＰＴＴセッションから離脱し、そのＰＴＴセッションのメンバーではなくなる。また、上記ＰＴＴセッションのメンバーである移動通信端末装置１とそれぞれの装置が通信している基地局との間でパケット通信用個別チャネルが確立されていれば、それらのチャネルを解放する。
【００６０】
次に、ＰＴＴセッション管理部２４のＰＴＴセッションからの離脱の通知を受信した際の動作を説明する。ＰＴＴセッション管理部２４は、移動通信端末装置１から送信されたＰＴＴセッションからの離脱の通知を受信すると、その通知を送信した移動通信端末装置１の識別子が副端末装置識別子２３ｄに記憶されたＰＴＴセッションの属性情報をＰＴＴセッションデータ２３ａから検索する。
【００６１】
そして、上記通知を送信した移動通信端末装置１の識別子を副端末装置識別子２３ｄから削除して、上記ＰＴＴセッションの属性情報をＰＴＴセッションデータ２３ａに更新格納する。また、上記通知を送信した移動通信端末装置１とそれぞれの装置が通信している基地局との間でパケット通信用個別チャネルが確立されていれば、そのチャネルを解放する。
【００６２】
なお、基地局が第１種の着信信号を送信する周期をＳＣＩを２に設定された間欠受信周期とし、第２種の着信信号を送信する周期をＳＣＩを０に設定された間欠受信周期とするが、これに限るものではない。例えば、上記いずれの着信信号を送信する周期もＳＣＩを０に設定された間欠受信周期としても良い。
【００６３】
その場合、基地局が第１種の着信信号を１回送信した場合、移動通信端末装置１は、その第１種の着信信号を受信しない可能性がある。そのため、基地局は、第１種の着信信号をＳＣＩを０に設定された間欠受信周期と等しい周期で４回送信しても良い。また、基地局は、送信した第１種の着信信号に対して移動通信端末装置１から着呼信号を受信しない場合、繰り返してその第１種の着信信号を送信しても良い。
【００６４】
また、移動通信端末装置１がＰＴＴセッションの開設を要求する、または、ＰＴＴセッションに参加する前の間欠受信周期と、移動通信端末装置１が開設要求したＰＴＴセッションが開設後、または、ＰＴＴセッションに参加した後の間欠受信周期は、以上に説明したものに限るものではない。前者の間欠受信周期が後者の間欠受信周期より長ければ良い。
【００６５】
以上の説明は、１台の移動通信端末装置１は１つのＰＴＴセッションのみを開設要求し、または、１つのＰＴＴセッションに参加するものとしたが、これに限るものではない。複数のＰＴＴセッションを開設要求し、または、複数のＰＴＴセッションに参加するものとしても良い。その場合、ＰＴＴセッションの開設要求を除く、全ての移動通信端末装置１とＰＴＴサーバ装置２との通信に、ＰＴＴセッション識別子２３ｂを含ませれば良い。本発明は以上の構成に限定されるものではなく、種々の変形が可能である。
【図面の簡単な説明】
【００６６】
【図１】本発明の実施形態に係るＰＴＴ方式の通話システムの構成を示すブロック図。
【図２】本発明の実施形態に係る移動通信端末装置の構成を示すブロック図。
【図３】本発明の実施形態に係るＰＴＴサーバ装置の構成を示すブロック図。
【図４】本発明の実施形態に係るＰＴＴセッションデータの形式を示す図。
【図５】本発明の実施形態に係る移動通信端末装置の制御部の動作を示すフローチャート（その１、ＰＴＴセッションの開設要求など）。
【図６】本発明の実施形態に係る移動通信端末装置の制御部の動作を示すフローチャート（その２、ＰＴＴセッションへの参加）。
【図７】本発明の実施形態に係る移動通信端末装置の制御部の動作を示すフローチャート（その３、参加したＰＴＴセッションでのＰＴＴ方式の発話）。
【図８】本発明の実施形態に係る移動通信端末装置の制御部の動作を示すフローチャート（その４、ＰＴＴ方式の受話）。
【符号の説明】
【００６７】
１  移動通信端末装置
２  ＰＴＴサーバ装置
３  無線通信網
１１  制御部
１５  表示部
１６  入力部
２１  制御部
２３  ＰＴＴセッションデータ記憶部
２３ａ  ＰＴＴセッションデータ
２３ｂ  ＰＴＴセッション識別子
２３ｃ  主端末装置識別子
２３ｄ  副端末装置識別子
２３ｅ  発話権割り当て端末装置識別子
２４  ＰＴＴセッション管理部
【図１】
2006094341.tif 000004
【図２】
2006094341.tif 000005
【図３】
2006094341.tif 000006
【図４】
2006094341.tif 000007
【図５】
2006094341.tif 000008
【図６】
2006094341.tif 000009
【図７】
2006094341.tif 000010
【図８】
2006094341.tif 000011